(57)【特許請求の範囲】
【請求項１】
タッチパネル面を有するタブレット端末を着脱可能に保持する端末保持部と、前記端末保持部を、リングを有するシステム手帳に保持することを可能にするリング挿通部とを備え、
前記端末保持部は、前記タブレット端末の角に弾性係合してこれを保持すると共に前記タブレット端末の背面を保護し、
前記リング挿通部は、前記端末保持部の側面に設けられた突出片に設けられ、
前記突出片は、前記端末保持部に一体成形されている、タブレット端末用アタッチメント。
【請求項２】
前記端末保持部は、ヒンジ部を有し、前記ヒンジ部で端末保持部を折り曲げた状態で前記タブレット端末用のスタンドとして利用可能である、請求項１に記載のアタッチメント。
【請求項３】
前記ヒンジ部は、前記端末保持部の側面に略平行に、前記端末保持部の略中央に設けられている、請求項１又は２に記載のアタッチメント。
【発明の詳細な説明】
【技術分野】
【０００１】
本発明は、タブレット端末用アタッチメントに関する。
【背景技術】
【０００２】
近年、アップル社などから、携帯性がよく、タッチパネルで操作可能なタブレット端末が市販されている。このようなタブレット端末は、電子メールの送受信やスケジュール管理などに利用されており、多くのユーザは、カバンの中に入れて持ち歩き、必要なときにカバンから取り出して利用している。
【０００３】
このように常時カバンの中に入れて持ち歩くので、タッチパネル面や背面に傷がつきやすい。そこで、従来は、タッチパネル面に保護フィルムを貼り付け、背面には、特許文献１に開示されているような背面カバーが取り付けられて利用される場合がある。
【先行技術文献】
【特許文献】
【０００４】
【特許文献１】特許３１７０５１２号公報
【発明の概要】
【発明が解決しようとする課題】
【０００５】
このような保護フィルムや背面保護カバーを用いることによって、タブレット端末に傷がついてしまうという問題はほぼ解決される。ところで、タブレット端末は非常に薄いものであり、カバンの中の書類を出そうとしたときにタブレット端末が書類に挟まれて一緒にカバンから飛び出して地面に落下してしまう場合があることや、カバンの中に別の書類に紛れてしまってタブレット端末を即座に発見できない場合があるという問題があることに本発明者は気がついた。そして、今後、タブレット端末の薄厚化がさらに進むと、このような問題はさらに深刻になる。
本発明は、このような事情に鑑みてなされたものであり、タブレット端末の不意の飛び出しを防止し且つカバンの中で即座に発見することを容易にするタブレット端末用アタッチメントを提供するものである。
【課題を解決するための手段】
【０００６】
本発明によれば、タブレット端末を着脱可能に保持する端末保持部と、前記端末保持部を、リングを有するシステム手帳に保持することを可能にするリング挿通部とを備えるタブレット端末用アタッチメントが提供される。
【０００７】
本発明者は上記課題を解決すべく、鋭意検討を行なっていたところ、ふと、カバンの中にあるシステム手帳に目が止まった。従来は、システム手帳とタブレット端末は全く別々のものとして取り扱っていたが、タブレット端末をシステム手帳の一部にしてしまえば、タブレット端末がカバンから不意に飛び出すこともなく、また、カバンの中で見失ってしまうこともなくなることを着想した。そして、この着想に基づき、上記構成のアタッチメントを用いればタブレット端末をシステム手帳と統合することが可能になることを見出し、本発明の完成に到った。
【０００８】
ここで、本発明の種々の実施形態を例示する。これらの実施形態は、互いに組み合わせ可能である。
好ましくは、前記リング挿通部は、前記端末保持部の側面に設けられた突出片に設けられる。
好ましくは、前記突出片は、前記端末保持部に一体成形されている。
好ましくは、前記突出片は、前記端末保持部に対して着脱可能である。
好ましくは、前記端末保持部は、前記突出片を取り付けるための係合凹部を備え、前記突出片は、前記係合凹部に係合可能な係合凸部を備え、前記係合凸部を前記係合凹部に係合させることによって、前記突出片を前記端末保持部に取り付ける。
好ましくは、前記係合凸部は、前記タブレット端末を前記端末保持部から外した状態では前記係合凹部に対して着脱可能であり、前記係合凸部を前記係合凹部に係合させた状態で前記タブレット端末を前記端末保持部に取り付けることによって前記係合凸部を前記係合凹部に対して固定する。
好ましくは、前記係合凹部は、前記突出片を前記端末保持部から分離した状態では、前記タッチパネル面を覆う着脱式のタッチパネルカバーを前記タブレット端末に取り付ける取付部を覆って前記タッチパネルカバーと前記タブレット端末との分離を防止する分離防止部として機能する。
好ましくは、前記端末保持部は、前記タブレット端末を保持すると共に前記タブレット端末の背面を保護する。
好ましくは、前記端末保持部は、ヒンジ部を有し、前記ヒンジ部で端末保持部を折り曲げた状態で前記タブレット端末用のスタンドとして利用可能である。
好ましくは、前記ヒンジ部は、前記端末保持部の側面に略平行に、前記端末保持部の略中央に設けられている。
本発明は、タブレット端末を着脱可能に保持する端末保持部を、リングを有するシステム手帳に保持することを可能にするリング挿通部を備える突出片であって、前記突出片は、前記端末保持部の分離防止部に係合可能な係合凸部を有し、前記分離防止部は、前記タブレット端末のタッチパネル面を覆う着脱式のタッチパネルカバーを前記タブレット端末に取り付ける取付部の少なくとも一部を覆って前記タッチパネルカバーと前記タブレット端末との分離を防止する、突出片も提供する。
【図面の簡単な説明】
【０００９】
【図１】図１（ａ）〜（ｇ）は、本発明の第１実施形態のタブレット端末用アタッチメントを示し、（ａ）は正面図、（ｂ）は右側面図、（ｃ）は左側面図、（ｄ）は背面図、（ｅ）は平面図、（ｆ）は底面図、（ｇ）はＡ−Ａ線切断部端面図であり、（ｈ）はＢ−Ｂ線切断部端面図である。
【図２】図２は、図１のタブレット端末用アタッチメントにタブレット端末が装着されたものが、システム手帳に取り付けられている状態を示す斜視図である。
【図３】図３（ａ）〜（ｆ）は、本発明の第２実施形態のタブレット端末用アタッチメントを示し、（ａ）は正面図、（ｂ）は右側面図、（ｃ）は左側面図、（ｄ）は背面図、（ｅ）は平面図、（ｆ）は底面図である。
【図４】図４は、図３のタブレット端末用アタッチメントにタブレット端末が装着されたものが、システム手帳に取り付けられている状態を示す斜視図である。
【図５】図４は、図３のタブレット端末用アタッチメントにタブレット端末が装着されたものが、システム手帳に取り付けられている状態で、ヒンジ部が折り曲げられて、タブレット端末用アタッチメントがスタンドとして利用されている状態を示す。
【図６】図６（ａ）〜（ｇ）は、本発明の第３実施形態のタブレット端末用アタッチメントを示し、（ａ）は正面図、（ｂ）は右側面図、（ｃ）は左側面図、（ｄ）は背面図、（ｅ）は平面図、（ｆ）は底面図であり、図６（ｇ）は、（ａ）中のＣ−Ｃ線切断部端面図である。
【図７】図７は、図６のタブレット端末用アタッチメントにおける端末保持部を示し、（ａ）は正面図、（ｂ）は右側面図、（ｃ）は左側面図、（ｄ）は背面図、（ｅ）は平面図、（ｆ）は底面図である。
【図８】図８は、図６のタブレット端末用アタッチメントの突出片と端末保持部とが分離された状態を示す正面図である。
【図９】図９は、本発明の第４実施形態のタブレット端末用アタッチメントを示す、図１（ａ）に対応した正面図である。
【図１０】図１０は、本発明の第５実施形態のタブレット端末用アタッチメントを示す、図１（ａ）に対応した正面図である。
【図１１】図１１は、本発明の第６実施形態のタブレット端末用アタッチメントにおいて端末保持部７と突出片１５が分離された状態を示す斜視図である。
【図１２】図１２は、図１１と同じ状態を示し、（ａ）は正面図、（ｂ）は右側面図、（ｃ）は左側面図、（ｄ）は背面図、（ｅ）は平面図、（ｆ）は底面図である。各図に端末保持部７と突出片１５をそれぞれ示している。
【図１３】図１３は、本発明の第６実施形態のタブレット端末用アタッチメントにおいて突出片１５が端末保持部７に取り付けられた状態を示す。
【図１４】図１４は、図１３と同じ状態を示し、図１４（ａ）〜（ｆ）は、図１２（ａ）〜（ｆ）に対応する。
【図１５】図１５は、本発明の第６実施形態のタブレット端末用アタッチメントにおいて突出片１５が端末保持部７に取り付けられた状態で、タブレット端末３が端末保持部７に装着された状態を示す斜視図である。
【図１６】図１６は、本発明の第６実施形態のタブレット端末用アタッチメントにおいて突出片１５が端末保持部７に取り付けられていない状態で、タブレット端末３が端末保持部７に装着される直前の状態を示す斜視図である。
【図１７】図１７は、図１６の状態から、タブレット端末３が端末保持部７に装着された状態を示す斜視図である。
【図１８】図１８は、本発明の第７実施形態のタブレット端末用アタッチメントにおいて端末保持部７と突出片１５が分離された状態を示す斜視図である。
【発明を実施するための形態】
【００１０】
以下、図１〜図１８を用いて、本発明の実施形態について説明する。以下の実施形態は、例示であって、本発明の範囲は、以下の実施形態で示すものに限定されない。
【００１１】
１．第１実施形態
図１〜図２に示すように、本発明の第１実施形態のタブレット端末用アタッチメント１は、タブレット端末３を着脱可能に保持する端末保持部７と、端末保持部７を、リング９を有するシステム手帳１１に保持することを可能にするリング挿通部１３とを備える。リング挿通部１３は、端末保持部７の側面に設けられた突出片１５に設けられる。突出片１５は、本実施形態では、端末保持部７と一体成形される。端末保持部７は、タブレット端末３を保持すると共にタブレット端末３の背面及び側面を保護する。端末保持部７は、本実施形態では、タブレット端末３の４つの角及び側面に弾性的に係合する弾性係合部１７を有し、弾性係合部１７がタブレット端末３に係合することによってタブレット端末３を保持している。
【００１２】
このように、タブレット端末３をアタッチメント１の端末保持部７の弾性係合部１７に係合させることによって、タブレット端末３を端末保持部７によって保持させ、その状態で、リング挿通部１３に、システム手帳１１のリング９を挿通させることによって、タブレット端末３をシステム手帳１１に統合することができる。
【００１３】
このように、タブレット端末３をシステム手帳１１に統合してしまえば、タブレット端末３がカバンから不意に飛び出したり、カバンの中で見失うことがない。また、システム手帳１１のカバー１０自体がタッチパネル面５の保護カバーとなるので、タブレット端末３用のタッチパネル保護カバーを別途購入する必要がない。
【００１４】
タブレット端末３は、システム手帳１１に装着したまま使用してもよく、システム手帳１１からアタッチメント１ごと取り外して使用してもよく、アタッチメント１はシステム手帳１１に付けたままで、タブレット３をアタッチメント１から取り外して使用してもよい。システム手帳１１にタブレット端末３を装着したまま使用する用途を考慮すると、端末保持部７は、タブレット端末３のタッチパネル面５での操作を妨げないように、タブレット端末３を保持することが好ましい。
【００１５】
アタッチメント１の材質は、特に限定されず、ポリカーボネートのような硬質樹脂製であってもよく、ウレタンのような軟質樹脂製であってもよく、革製や布製など樹脂以外の材質のものであってもよい。アタッチメント１は、透明であっても非透明であってもよい。また、タブレット端末３を端末保持部７に着脱可能に保持させる方法は、特に限定されず、弾性係合以外の方法によって保持させてもよい。また、端末保持部７は、タブレット端末３を保持する機能を有していればよく、タブレット端末３の背面及び側面を保護する機能は有していなくてもよい。
【００１６】
２．第２実施形態
本発明の第２実施形態のタブレット端末用アタッチメント１は、第１実施形態に類似しているが、本実施形態では、図３〜図５に示すように、端末保持部７がヒンジ部１７を有し、ヒンジ部１７で端末保持部７を折り曲げた状態でタブレット端末３用のスタンドとして利用可能である構成になっている。ヒンジ部１７は、端末保持部７の側面（突出片１５が設けられている面）に略平行に、端末保持部７の略中央に設けられている。また、端末保持部７は、ヒンジ部１７で二分割されて、突出片１５に近い側の第１部分７ａと、突出片１５から離れた側の第２部分７ｂとで構成されている。
【００１７】
第１実施形態では、タブレット端末３は、アタッチメント１から取り外すか又は取り外さないかのどちらかの状態で使用するが、本実施形態では、端末保持部７の第１部分７ａのみをタブレット端末３から取り外し、図５に示すように、端末保持部７をヒンジ部１７で折り曲げて、アタッチメント１を第１部分７ａと第２部分７ｂとで構成されるスタンドとして利用することができる。アタッチメント１をこのように利用することによってタブレット端末３を所望の角度に保持することができる。
【００１８】
ヒンジ部１７の数は、好ましくは１つであるが、２つ以上であってもよい。ヒンジ部１７の位置は、好ましくは、端末保持部７の幅方向（図３（ａ）の矢印Wの方向）の略中央であることが好ましいが、ずれた位置に設けられていてもよい。
【００１９】
３．第３実施形態
本発明の第３実施形態のタブレット端末用アタッチメント１は、第１実施形態に類似しているが、本実施形態では、図６〜図８に示すように、突出片１５が端末保持部７に対して着脱可能である構成になっている。
【００２０】
具体的には、本実施形態では、突出片１５は、端末保持部７との係合に用いられる係合舌部１６を有し、端末保持部７は、係合舌部１６を収容する係合袋部８を有している。係合舌部１６は、先端に設けられた先端係合凸部１６ａと、腹部に設けられた回転防止凸部１６ｂとを備える。係合袋部８は、先端係合凸部１６ａと係合する係合溝部８ａと、回転防止凸部１６ｂと係合する回転防止溝８ｂとを備える。
【００２１】
突出片１５と端末保持部７を一体化させる際には、係合舌部１６を係合袋部８に挿入すると、回転防止凸部１６ｂと回転防止凸部１６ｂとが係合して、突出片１５と端末保持部７との間の相対回転が防止され、係合舌部１６を係合袋部８にさらに深く挿入すると、先端係合凸部１６ａと係合溝部８ａとが弾性係合して、係合舌部１６が係合袋部８から抜けることが阻害され、突出片１５と端末保持部７が一体化される。
【００２２】
突出片１５と端末保持部７を分離する際には、突出片１５と端末保持部７をそれぞれ把持して、互いに引き離すように引っ張ると、先端係合凸部１６ａと係合溝部８ａとの間の係合が外れて、両者が分離される。
【００２３】
このように、突出片１５と端末保持部７が着脱可能な構成であれば、システム手帳１１からタブレット端末３を外して使用する際に、タブレット端末３から端末保持部７を外す必要がなく、単に、突出片１５と端末保持部７を分離すればよい。本実施形態のように、端末保持部７がタブレット端末３の背面保護カバーとしても機能している場合には、端末保持部７をタブレット端末３に装着したままにすることによって、タブレット端末３の背面に傷がつくことを防ぐことができる。
【００２４】
なお、突出片１５と端末保持部７を着脱可能にする構成は特に限定されず、本実施形態のように弾性係合式であってもよく、線ファスナー（例：ジッパー）や面ファスナー（例：マジックテープ、ベルクロ）を用いた構成であってもよい。
【００２５】
４．第４実施形態
本発明の第４実施形態のタブレット端末用アタッチメント１は、第１実施形態に類似しているが、本実施形態では、図９に示すように、リング挿通部１３が閉じた穴ではなく、リング導入路２３において開いていて、ここからリング９を導入可能な構成になっている。第１実施形態では、リング９をリング挿通部１３に通すには、リング９を開く必要があるが、本実施形態によれば、リング９を開くことなく、リング導入路２３を通じて、リング９をリング挿通部１３に導入することができる。また、リング導入路２３は、リング挿通部１３に近接した位置にくびれ２５があり、リング９の導入には弾性変形によってくびれ２５が広がってリング９が導入されるが、一端導入した後は、くびれ２５が元通りになって、リング９は容易に脱離しない。
【００２６】
このように、リング挿通部１３は、リング９を挿通可能なものであればよく、閉じた穴に限定されず、一方向に開いた形状であってもよい。また、リング挿通部１３は、円形に限定されず、別の形状であってもよい。さらに、リング挿通部１３の数は、対象とするシステム手帳１１のリング９の数に応じて適宜決定される。
【００２７】
５．第５実施形態
本発明の第５実施形態のタブレット端末用アタッチメント１は、第１実施形態に類似しているが、本実施形態では、図１０に示すように、端末保持部７は、タブレット端末３の側面に対応する位置が切り欠かれているので、端末保持部７は、タブレット端末３の背面は保護するが、側面は保護しない構成になっている。また、端末保持部７は、タブレット端末３を４つの角でのみ保持している。このような構成でも本発明は実施可能である。また、端末保持部７は、タブレット端末３の側面でのみタブレット端末を保持して、タブレット端末３の背面を保護しない構成であってもよく、タブレット端末３の背面を部分的にのみ覆い、タブレット端末３の背面を完全には保護しない構成であってもよい。
【００２８】
６．第６実施形態
本発明の第６実施形態のタブレット端末用アタッチメント１は、第４実施形態に類似しているが、本実施形態では、図１１〜図１４に示すように、突出片１５が取り外し式になっている。すなわち、突出片１５を取り付けるための係合凹部２７を端末保持部７に設け、係合凹部２７に係合可能な係合凸部２９を突出片１５に設け、係合凸部２９を係合凹部２７に係合させることによって、突出片１５を端末保持部７に取り付ける構成になっている。図１１〜図１２に示すように、係合凹部２７は、内面が略球面状になっており、係合凸部２９は、外面が略球面状になっている。そして、図１３〜図１４に示すように、係合凸部２９が係合凹部２７内に収容されて、突出片１５が端末保持部７に取り付けられる。本実施形態では、係合凸部２９は、ゆるやかに係合凹部２７に係合されており、タブレット端末３が端末保持部７に取り付けられていない状態（図１３〜図１４の状態）では、自由に取り外し可能である。そして、図１５に示すようにタブレット端末３を端末保持部７に取り付けると、タブレット端末３の側面が突出片１５の側面３１に当接して係合凸部２９が係合凹部２７から外れなくなって固定される。なお、タブレット端末３が端末保持部７に取り付けられていない状態においても、係合凸部２９が係合凹部２７から外れないように、例えば係合凹部２７内に突起を設け、この突起を、係合凸部２９に設けた凹部に係合させてもよい。
【００２９】
ところで、iPad miniのようなタブレット端末３では、タッチパネル面５を保護するためのタッチパネルカバー（例：Smart Cover）が市販されている。図１６に示すように、このようなタッチパネルカバー３３は、取付部３５が磁石になっており、磁力でタブレット端末３の側面に取り付ける構成になっている。このため、タッチパネルカバー３３だけを掴んで持ち上げると、タッチパネルカバー３３がタブレット端末３から外れて、タブレット端末３が落下してしまう恐れがある。
【００３０】
しかし、本実施形態では、係合凹部２７は、突出片１５を端末保持部７から分離した状態（図１６の状態）では、タッチパネル面５を覆う着脱式のタッチパネルカバー３３をタブレット端末３に取り付ける取付部３５の端部３７を覆ってタッチパネルカバー３３とタブレット端末３との分離を防止する分離防止部として機能するようになっている。このため、図１７に示すように、タッチパネルカバー３３を取り付けたタブレット端末３を端末保持部７に取り付けると、タッチパネルカバー３３の取付部３５の端部３７が係合凹部２７内に入り込んで、タッチパネルカバー３３がタブレット端末３から外れなくなる。
【００３１】
つまり、係合凹部２７は、突出片１５を端末保持部７に取り付ける際には、突出片１５の係合凸部２９を収容して突出片１５を端末保持部７に固定するために利用し、突出片１５を端末保持部７から外した状態では、タッチパネルカバー３３がタブレット端末３から外れることを防止する分離防止部として機能するという二役を担うことができる。
【００３２】
７．第７実施形態
本発明の第７実施形態のタブレット端末用アタッチメント１は、第６実施形態に類似しているが、本実施形態では、図１８に示すように、突出片１５に設けられたリング挿通部１３が閉じた穴になっている。突出片１５を端末保持部７に固定する方法は、第６実施形態と同じである。
【符号の説明】
【００３３】
１：タブレット端末用アタッチメント、３：タブレット端末、５：タッチパネル面、７：端末保持部、９：リング、１１：システム手帳、１３：リング挿通部、１５：突出片、１７：弾性係合部、２３：リング導入路、２５：くびれ、２７：係合凹部、２９：係合凸部、３１：側面、３３：タッチパネルカバー、３５：取付部、３７：取付部の端部
【要約】
【課題】タブレット端末の不意の飛び出しを防止し且つカバンの中で即座に発見することを容易にするタブレット端末用アタッチメントを提供する。
【解決手段】  本発明によれば、タブレット端末のタッチパネル面での操作を妨げずにタブレット端末を着脱可能に保持する端末保持部と、前記端末保持部を、リングを有するシステム手帳に保持することを可能にするリング挿通部とを備えるタブレット端末用アタッチメントが提供される。
【選択図】図１【図１】
0005399579.tif 000002
【図２】
0005399579.tif 000003
【図３】
0005399579.tif 000004
【図４】
0005399579.tif 000005
【図５】
0005399579.tif 000006
【図６】
0005399579.tif 000007
【図７】
0005399579.tif 000008
【図８】
0005399579.tif 000009
【図９】
0005399579.tif 000010
【図１０】
0005399579.tif 000011
【図１１】
0005399579.tif 000012
【図１２】
0005399579.tif 000013
【図１３】
0005399579.tif 000014
【図１４】
0005399579.tif 000015
【図１５】
0005399579.tif 000016
【図１６】
0005399579.tif 000017
【図１７】
0005399579.tif 000018
【図１８】
0005399579.tif 000019